(57)【要約】【課題】ディスクの出し入れ操作を軽快に行え、耐久性の確保と、ディスクの脱着操作を安定良く行えることを可能にする。【解決手段】ケース本体３とケース蓋４とディスク１を保持する保持板５とを第１、第２、第３、第４ヒンジ１１、１２、１４、１５及びアーム部１３からなる４節構造部１６によって相互に開閉自在に枢支して、ケース蓋４をケース本体３に対して開閉することにより、ケース蓋４と一緒に保持板５がケース本体３に対して出し入れされる収納ケース２。【選択図】図６
2005247410.tif 000002
【特許請求の範囲】
【請求項１】
ケース本体と、
ケース蓋と、
被収納部材の少なくとも一部を保持する保持部が基端側の片面に形成された保持板であって、該保持板の先端側から被収納部材が前記保持部内に抜き差し可能に挿入されて保持される保持板と、
前記ケース本体と前記ケース蓋とが開閉自在に枢支された第１ヒンジ、前記保持板の前記保持部が前記ケース本体側へ向けられた状態で、該保持板の基端が該ケース本体に開閉自在に枢支された第２ヒンジ、前記保持板と前記ケース蓋との間に介在されたアーム部の両端が該保持板と該ケース蓋とに開閉自在に枢支された第３ヒンジ及び第４ヒンジによって構成された４節構造部であって、前記保持板の前記保持部内に被収納部材の少なくとも一部が保持された状態で、前記ケース蓋を前記ケース本体上へ閉じることにより、前記被収納部材を前記保持板の下側へ入り込ませるように回動させて、これら被収納部材と保持板が前記ケース本体内の収納位置に収納され、前記ケース蓋を前記ケース本体から開くことにより、前記被収納部材を前記保持板の上側へ引き出すように回動させて、これら被収納部材と保持板が前記ケース本体外へ引き出される４節構造部とを備えた
ことを特徴とする収納ケース。
【請求項２】
前記ケース蓋を前記ケース本体側へ閉じることにより、前記アーム部が収容される切欠きを前記保持板に形成した
ことを特徴とする請求項１に記載の収納ケース。
【請求項３】
前記保持部がディスク状記録媒体の外周の一部を保持する円弧状部と、該ディスク状記録媒体の中心孔が挿入される浅い円柱部と、該ディスク状記録媒体の中心孔の周囲が載置されて、該ディスク状記録媒体を前記保持板から浮かす浅い円形台座部とを備えている
ことを特徴とする請求項１に記載の収納ケース。
【請求項４】
前記ケース本体に前記保持部の円形部の先端が挿入される円形孔が形成されている
ことを特徴とする請求項３に記載の収納ケース。
【請求項５】
前記ケース蓋、前記保持板及び前記４節構造部が前記ケース本体の両側に付設されている
ことを特徴とする請求項１に記載の収納ケース。
【請求項６】
前記ケース蓋又はケース本体の少なくとも一方に歌詞カードや解説書等の小冊子その他の付属物を抜き差し可能に収納する付属物収納部が形成されている
ことを特徴とする請求項１に記載の収納ケース。
【発明の詳細な説明】
【技術分野】
【０００１】
本発明は、光ディスク、光磁気ディスク、磁気ディスク等の裸のディスク類、フロッピーディスクカセットやビデオテープカセット等のカセット類等の記録媒体やこれらに類似する各種の被収納部材を収納するのに最適な収納ケースに関するものである。
【背景技術】
【０００２】
従来から、裸のディスクを収納する収納ケースとして、ケース本体内にディスク保持板の基端を固定し、このディスク保持板を基端の弾性によってケース本体の上方へ斜めに押
し上げ、このディスク保持板の上面に形成されたディスク保持部にディスクを斜めに保持
させた状態で、ケース蓋をケース本体上へ閉じることにより、そのケース蓋でディスク保持板を基端の弾性に抗してケース本体内に押し込むようにしてディスクと共にケース本体内へ収納する。一方、ケース蓋をケース本体から上方へ開くことにより、ディスク保持板を基端の弾性によってこのディスク保持板をディスクと共にケース本体の上方へ斜めに押し上げるようにした従来例１（特許文献１）がある。
【０００３】
また、従来のこの種収納ケースとして、ヒンジによって水平状態からほぼ山形に屈曲自在に構成された保持プレートの一端をケース蓋内に枢支し、この保持プレートの他端をケース本体にスライド自在に係止し、この保持プレートの一端側の上面に形成されたディスク保持部にディスクを保持させた状態で、ケース蓋をケース本体上に閉じることにより、保持プレートの他端をケース本体内で水平にスライドさせるようにして、このディスク保持部をヒンジによってディスクと共にケース本体内へ水平に収納する。一方、ケース蓋をケース本体から１８０°開くことにより、保持プレートの一端をケース本体外へ引き出しながら、その一端をケース本体の一端に形成されている当接部に上方から当接させることによるテコ作用によって、この保持プレートの一端をディスクと共にケース本体の上方へ斜めに押し上げるようにした従来例２（特許文献２）がある。
【０００４】
また従来から、ビデオテープカセットとコンパクトディスクを収納して店頭で陳列するための収納ケースとして、不等辺の台形状に折り曲げられた屈曲自在の引上げ部材を有し、この引上げ部材の前端をケース本体の内面に固定し、この引上げ部材の後端をケース本体とケース蓋との間を接続する後板の内側に固定している。そして、この引上げ部材の上辺部に凹形状に形成した保持部内にコンパクトディスクを差し込んで保持した状態で、ケース蓋をケース本体上へ閉じた時に、後板をケース本体に対して垂直状に起立させることにより、引上げ部材の上辺部を水平に寝かせるようにして、コンパクトディスクをケース本体内の上層部に水平に収納する。なお、ケース本体内の下層部（コンパクトディスクの下）にはビデオテープカセットを収納している。そして、ケース蓋をケース本体から１８０°開いた時に、後板をケース本体に対して水平状に倒すことにより、引上げ部材の上辺部を傾斜させて、コンパクトディスクをケース本体の上方に斜めに引き出すようにした従来例３（特許文献３）がある。
【特許文献１】特開２００１−１８０７８０号公報
【特許文献２】特開２００３−  ４０３８０号公報
【特許文献３】実用新案登録第３０５８１３９号公報
【発明の開示】
【発明が解決しようとする課題】
【０００５】
従来例１の解決すべき問題点は、ケース蓋をケース本体上へ閉じることにより、ケース蓋でディスク保持板を基端の弾性に抗してケース本体内へ押し込む構造では、ディスク保持板の基端の弾性力が最も強い使用初期段階では、ケース蓋を閉じる際の抵抗が大きく、ケース蓋の閉じる際に強い力が必要となり、操作性に問題がある。一方、長期間の使用によってディスク保持板の基端の弾性が劣化してしまうと、ケース蓋を開いた時に、ディスク保持板がディスクをケース本体の上方へ充分な高さまで押し上げることができなくなり、耐久性が低いと言う問題がある。
【０００６】
従来例２の解決すべき問題点は、ケース蓋をケース本体から１８０°開くことにより、保持プレートの一端をケース本体外へ引き出しながら、その一端をケース本体の一端の当接部に上方から当接させることによるテコ作用によって、保持プレートの一端をディスクと共に斜め上方へ押し上げる構造では、保持プレートの一端に強い衝撃が常に加えられて、この保持プレートの一端が破損され易く、従来例１と同様に耐久性が低いと言う問題がある。
【０００７】
従来例３の解決すべき問題点は、ケース蓋をケース本体上へ閉じた時にコンパクトディスクをケース本体内の上層部に水平に収納する構造では、ケース本体内の下層部（コンパクトディスクの下）に無駄な空間が発生して、ケース本体の厚みを厚くする必要があり、裸のディスク類を収納する収納ケースとしては不適当である。
【課題を解決するための手段】
【０００８】
本発明の収納ケースは、ケース本体と、ケース蓋と、被収納部材の少なくとも一部を保持する保持部が基端側の片面に形成された保持板であって、該保持板の先端側から被収納部材が前記保持部内に抜き差し可能に挿入されて保持される保持板と、前記ケース本体と前記ケース蓋とが開閉自在に枢支された第１ヒンジ、前記保持板の前記保持部が前記ケース本体側へ向けられた状態で、該保持板の基端が該ケース本体に開閉自在に枢支された第２ヒンジ、前記保持板と前記ケース蓋との間に介在されたアーム部の両端が該保持板と該ケース蓋とに開閉自在に枢支された第３ヒンジ及び第４ヒンジによって構成された４節構造部であって、前記保持板の前記保持部内に被収納部材の少なくとも一部が保持された状態で、前記ケース蓋を前記ケース本体上へ閉じることにより、前記被収納部材を前記保持板の下側へ入り込ませるように回動させて、これら被収納部材と保持板が前記ケース本体内の収納位置に収納され、前記ケース蓋を前記ケース本体から開くことにより、前記被収納部材を前記保持板の上側へ引き出すように回動させて、これら被収納部材と保持板が前記ケース本体外へ引き出される４節構造部とを備えたものである。
【発明の効果】
【０００９】
本発明は、ケース本体に対するケース蓋の開閉により、保持板を４節構造部によってケース本体内の収納位置と、該ケース本体外へ引き出された位置との間で、無理なく軽快に回動させることができるので、ディスク状記録媒体等の被収納部材の出し入れ操作を軽快に行える上に、４節構造部の４つのヒンジの何れの箇所にも負荷が加えられることが全くなく、高い耐久性を確保することができる高品質の収納ケースが得られるという利点がある。また、ケース蓋の開き角度と保持板の開き角度が常に一定するので、保持板の保持部に対する被収納部材の脱着操作を安定良く行えるという利点がある。
【発明を実施するための最良の形態】
【００１０】
ケース蓋をケース本体側へ閉じることにより、アーム部を保持板の切欠き内に収容させるように構成すれば、収納ケースの薄型化を促進することができる。
【００１１】
保持板の保持部にディスク状記録媒体の外周の一部を保持する円弧状部と、ディスク状記録媒体の中心孔が挿入される浅い円形部と、ディスク状記録媒体の中心孔の周囲が載置されて、そのディスク状記録媒体を保持板から浮かす台座部とを備えれば、ディスク状記録媒体の記録面を保護しつつ、このディスク状記録媒体を外周部分と中心孔部分との２箇所で安定良く保持することができるディスク状記録媒体の収納ケースとして最適なものを提供することができる。
【００１２】
更に、保持板の円形部の先端をケース本体に形成した円形孔内に挿入させるように構成すれば、ケース蓋を閉じた時に、ディスク状記録媒体の中心孔部分を確実に保持することができるので、収納ケースの反転や振動、衝撃等によってディスク状記録媒体が収納ケース内でずれ動いて記録面に傷が発生する等の危険性が皆無となり、ディスク状記録媒体を安全に収納することができる。
【００１３】
ケース蓋、保持板及び４節構造部をケース本体の両側に付設することにより、薄型構造でありながら、ケース本体の両側に２枚のディスク状記録媒体等の２つの被収納部材を同時に非接触状態で収納することができる高品質の収納ケースを提供することができる。
【００１４】
ケース蓋又はケース本体の少なくとも一方に歌詞カードや解説書等の小冊子その他の付属物を抜き差し可能に収納する付属物収納部を形成すれば、音楽用や映像用その他の各種用途の記録媒体を収納して保管するのに最適な収納ケースを提供することができる。
【実施例１】
【００１５】
図によって、本発明の収納ケースの１実施例を説明するが、この実施例では、被収納部材として、ＣＤ、ＤＶＤ、ＤＶＤ−ＲＯＭ、その他の直径１２ｃｍの光ディスク、光磁気ディスク、磁気ディスク等の裸のディスク１の収納ケース２を示している。但し、ＭＯ等の直径８ｃｍやその他の各種の直径の裸のディスクであっても、サイズの変更により同様に収納することができる。
そして、この収納ケース２は合成樹脂等にて成形されたものであって、ケース本体３の両側に２枚のケース蓋４及び保持板５を装着して、ケース本体３の両側に２枚のディスク１を収納することができるものであるが、ケース本体３を中心にして左右対称構造となっていることから、構造説明では、ケース本体３とその片側のケース蓋４及び保持板５との関係についてのみ説明する。
【００１６】
まず、ケース本体３の基端３ａの一側面側にはケース蓋４の基端４ａが左右一対で同心状の第１ヒンジ（支点ピンによるヒンジ）１１によって矢印ａ、ｂ方向に開閉自在に枢支されている。また、ケース本体３内の基端３ａ側には保持板５の基端５ａが第１ヒンジ１１と平行で左右方向に間隔を隔てて配置さられた３つの同心状の第２ヒンジ（支点ピンによるヒンジ）１２によって矢印ｃ、ｄ方向に開閉自在に枢支されている。また、保持板５の基端５ａに近い位置とケース蓋４の基端４ａに近い位置との間に左右方向に平行状に介在された長方形の板形状の左右一対のアーム部１３の上下両端（長さ方向の両端）が保持板５とケース蓋４とにそれぞれ同心状の第３ヒンジ（弾性を有する屈曲可能な接続部によるヒンジ）１４及び第４ヒンジ（支点ピンによるヒンジ）１５によって相互に開閉自在に枢支されている。
そして、これら第１ヒンジ１１、第２ヒンジ１２、第３ヒンジ１４及び第４ヒンジ１５によって４節構造部１６が構成されている。
【００１７】
なお、長方形の板形状の左右一対のアーム部１３は保持板５の３つの第２ヒンジ１２間に形成された左右一対の長方形の切欠き１７内に第３ヒンジ（弾性を有する屈曲可能な接続部によるヒンジ）１４を介して一体成形されていて、後述するようにケース蓋４を閉じた際に、左右一対のアーム部１３をその保持板５の左右一対の切欠き１７内にて、その保持板５の板厚内に収納されるように構成されている。
【００１８】
そして、保持板５の上面（ケース本体３と対向される側の面）で、その基端５ａ側にはディスク１の外周１ａの一部を保持する円弧状の保持部５ｂ（複数の保持部５ｂによって全体が円弧状に形成されているもの）が一体成形されている。そして、この保持板５の先端５ｃの中央部にはディスク１の中心孔１ｂが挿入される浅い円柱部５ｄと、そのディスク１の中心孔１ｂの周囲１ｃを浮かす浅い円形台座部５ｅが一体成形されている。
また、ケース本体３の内面にはディスク１が挿入される円形凹部３ｂが形成されていて、その中心には保持板５の円柱部５ｄの先端が挿入される円形孔３ｃが形成され、その円形孔３ｃの外周にはディスク１の中心孔１ｂの周囲を受ける浅い円形台座部３ｄが形成されている。更に、このケース本体３の基端３ａ側には保持板５の円弧状の保持部５ｂが挿入される切欠き３ｅが形成されている。
【００１９】
そして、ケース蓋４の内面にはディスク１に対する逃げ用の円形凹部４ｂが形成されていて、ケース本体３の円形凹部３ｂとケース蓋４の円形凹部４ｂの外周及び保持板５の保持部５ｂの内周部分にはディスク１の最外周部分を受けるリング状台座部３ｆ、４ｃ、５ｆが形成されている。
なお、ケース蓋４をケース本体３上に閉じた時に、そのケース蓋４をケース本体３に係止するための凸部７ａと凹部７ｂとからなる１つ又は一対のクリック係止部７がこれらケース本体３の左右両側面３ｇとケース蓋４の左右両側面４ｆとの間に形成されている。そして、ケース蓋４の先端４ｄの中央部に手の指先を挿入するための凹部４ｅが形成されている。
【００２０】
この収納ケース２は以上のように構成されていて、ディスク１の収納時には、図４に示すように、ディスク１の記録面１ｄを下側にして保持板５上に斜め上方である矢印ｅ方向から挿入し、そのディスク１の外周１ａの一部を保持部５ｂ内に挿入してリング状台座部５ｆ上に乗り上げさせて保持させ、そのディスク１の中心孔１ｂを浅い円柱部５ｄの外周に挿入して、その中心孔１ｂの周囲を円形台座部５ｅ上に載置する。
これにより、ディスク１の記録面１ｄが保持板５に接触されることなく安全に保持される。
【００２１】
そこで、図１及び図２に示すように、ケース蓋４をケース本体３上に矢印ａ方向に閉じて、クリック係止部７の凸部７ａと凹部７ｂを軽く係止すると、４節構造部１６によって、保持板５がケース蓋４に連動してケース本体３内に矢印ｃ方向へ自動的に折り畳まれて、この保持板５と一緒にディスク１がケース本体３内へ矢印ｃ方向へ挿入され、このディスク１がケース本体３内に平行状に収納される。この時、ディスク１がケース本体３とケース蓋４の円形凹部３ｂ、４ｂ内に収納されて、保持板５の円柱部５ｄの先端がケース本体３の円形孔３ｃ内に挿入される。また、そのディスク１の外周１ａの両面がケース本体３とケース蓋４のリング状台座部３ｆ、４ｃまで上下から受け止められる。
【００２２】
これにより、ディスク１の記録面１ｄを下向きにして保持板５上に正しく保持した状態で、ケース蓋４を閉じた場合は勿論のこと、ディスク１の記録面１ｄを上向きにした状態で保持板５上に保持してケース蓋４を閉じてしまったような間違った使い方をした場合においても、ディスク１の記録面１ｄがケース蓋４やケース本体３の何れの内面にも接触されることなく、安全に保持されるので、その記録面１ｄがケース蓋４やケース本体３の内面に接触してデータが破損されてしまうことを未然に防止することができる。
【００２３】
また、このディスク１の収納状態では、保持板５の円柱部５ｄ先端がディスク１の中心孔１ｂを貫通してケース本体３の円形孔３ｃに挿入されるので、ディスク１がケース本体３とケース蓋４との間で水平方向（ディスク１の面に沿った方向）へ不測に移動することを未然に防止することができて、ディスク１を収納ケース２内に安全に収納しておくことができる。
【００２４】
また、このディスク１の収納状態では、板形状の左右一対のアーム部１３が図６、図１０等に示されている保持板５の左右一対の切欠き１７内に挿入されて、これらのアーム部１３がその保持板５の板厚内に収容され、収納ケース２の薄型化を促進している。
なお、図１及び図２に示すように、ケース蓋４をケース本体３上に完全に閉じ込んだ時に、クリック係止部７の凸部７ａと凹部７ｂが弾性に抗して係止されて、ケース蓋４がケース本体３に係止（ロック）される。
【００２５】
次に、ディスク１の取り出し時には、図３及び図４に示すように、ケース蓋４の先端４ｄの凹部４ｅに手の指先を挿入（引っかけること）して、このケース蓋４を第１ヒンジ１１を中心にケース本体３の上方へ矢印ｂ方向へ開く。
すると、４節構造部１６によって保持板５が第２ヒンジ１２を中心にケース本体３の上方へ矢印ｄ方向に開かれて、その保持板５の保持部５ｂに保持されているディスク１がこの保持板５と一緒に矢印ｄ方向へ引き出される。従って、この後、例えば、ディスク１の外周１ａの両側を手の親指と薬指、中指、小指等で握ると共に、人差指の先をディスク１の中心孔１ｂ内に挿入して把持し、このディスク１を保持板５の斜め上方へ少し浮かせるようにして、保持部５ｂから斜め上方である矢印ｆ方向に容易に抜き取ることができる。
【００２６】
なお、図４〜図６は収納ケース２の片方のケース蓋４をケース本体３から矢印ｂ方向へ１８０°開いた時の様子を示したものであり、図７〜図１０は収納ケース２のケース本体３を垂直状に立てた状態で、両方（両側）のケース蓋４を共に矢印ｂ方向に９０°開いた時の様子を示したものである。
【００２７】
また、図１１は、ケース蓋４の内側（又は外側）に形成された薄い溝穴形状の付属物収納部１９を示したものであって、歌詞カードや解説書等の小冊子その他の付属物２０をその出し入れ口１９ａから内部へ矢印ｇ、ｈ方向に抜き差し可能に収納することができるように構成したものである。
このように、付属物収納部１９を形成すれば、音楽用や映像用その他の各種用途のディスク１を収納して保管するのに最適な収納ケース２を提供することができる。
なお、ケース本体３の片側のみにケース蓋４を取り付けて、単一のディスク１を収納する収納ケース２であれば、ケース本体３及び／又はケース蓋４の何れにも同様の付属物収納部１９を形成することができる。
【産業上の利用可能性】
【００２８】
以上、本発明の収納ケースの実施の形態に付き述べたが、本発明の技術的思想に基づいて各種の変更が可能である。
例えば、前述した実施例の収納ケース２は、ケース本体３の両側にそれぞれ一対のケース蓋４、保持板５及び４節構造部１６を備えて、ケース本体３の両側に２枚のディスク１を収納することができるものを示したが、ケース本体３の片側のみにケース蓋４、保持板５及び４節構造部１６を備えて、ケース本体３の片側のみに単一のディスク１を収納することができる収納ケース２であっても良い。
【００２９】
また、本発明の収納ケース２は、保持部５ｂの形状や大きさを変更したり、ケース本体３及びケース蓋４の厚みを変更することにより、ＭＤ等の小型のディスク１や、ディスク以外のコンパクトカセットやビデオテープカセット等のカセット類やその他の円板形状、非円板形状の各種被収納部材を収納することができるものである。
【図面の簡単な説明】
【００３０】
【図１】本発明の収納ケースの１実施例を示すディスク収納状態の外観斜視図である。
【図２】図１の上側のケース蓋とその内部を断面で示した側面図である。
【図３】同上の収納ケースの片側のケース蓋をほぼ９０°開いた状態を示した斜視図である。
【図４】同上の収納ケースの片側のケース蓋を１８０°開いた状態を示した斜視図である。
【図５】図４の片側のディスクを取り外した状態の斜視図である。
【図６】図４を断面で示した側面図である。
【図７】同上の収納ケースの両側のケース蓋をほぼ９０°開いた状態の斜視図である。
【図８】図７の両側のディスクを取り外した状態の斜視図である。
【図９】図７の側面図である。
【図１０】４節構造部を示した斜視図である。
【図１１】ケース蓋の付属物収納部を示した斜視図である。
【符号の説明】
【００３１】
１    被収納部材であるディスク
２    収納ケース
３    ケース本体
３ａ  ケース本体の基端
３ｂ  ケース本体の凹形凹部
３ｃ  ケース本体の円形孔
３ｄ  ケース本体の円形台座部
３ｅ  ケース本体の切欠き
３ｆ  ケース本体のリング状台座部
４    ケース蓋
４ａ  ケース蓋の基端
４ｂ  ケース蓋の円形凹部
４ｃ  ケース蓋のリング状台座部
４ｄ  ケース蓋の先端
５    保持板
５ａ  保持板の基端
５ｂ  保持板の保持部
５ｃ  保持板の先端
５ｄ  保持板の円柱部
５ｅ  保持板の円形台座部
５ｆ  保持板のリング状台座部
１１  第１ヒンジ
１２  第２ヒンジ
１３  アーム部
１４  第３ヒンジ
１５  第４ヒンジ
１６  第１、第２、第３、第４ヒンジによって構成された４節構造部
１７  アーム部が収容される切欠き
１９  付属物収納部
２０  付属物
【図１】
2005247410.tif 000003
【図２】
2005247410.tif 000004
【図３】
2005247410.tif 000005
【図４】
2005247410.tif 000006
【図５】
2005247410.tif 000007
【図６】
2005247410.tif 000008
【図７】
2005247410.tif 000009
【図８】
2005247410.tif 000010
【図９】
2005247410.tif 000011
【図１０】
2005247410.tif 000012
【図１１】
2005247410.tif 000013